(57)【要約】【課題】複数の中継ノードの輻輳予測による発端末のセル速度のビートダウンを生ぜず、ピークレートでセル転送可能であり、中継伝送路のスループットを高く維持し、リアルタイム形伝送を可能とする。【解決手段】発端末または着端末では、輻輳の前兆の有無を判断し、輻輳が予測される場合には、順方向または逆方向のリソース管理セルに輻輳予測信号を挿入する。発端末は、リソース管理セルを受信し、所定時間ウインドウ（長さＴ）内に受信した輻輳予測信号を含むリソース管理セル数が所定値Ｌ個以下である場合は、ＰＣＲで会話信号を挿入したセルの送出を開始し、前記リソース管理セルの送出開始から所定時間Ｔ０経過しても、所定時間ウインドウＴ内に受信した輻輳予測信号を含むリソース管理セル数が所定値Ｌ個以下にならない場合は、リソース管理セルの送出を停止する。【選択図】  図１
2004187141.tif 000002
【特許請求の範囲】
【請求項１】
発側でセルを送受信する発端末を収容する発ノードと着側でセルを送受信する着端末を収容する着ノードとが中継ノードで接続され、前記発端末は、当該発端末から送出し前記中継ノードを経由して前記着端末で折り返すリソース管理セルをΔＴの周期で送出するセル転送システムに適応されるセル転送方法において、
前記発端末から前記着端末に向かう方向を順方向、前記着端末から前記発端末に向かう方向を逆方向とそれぞれ定義し、
前記発ノードは、順方向の出力バッファの使用率または出力バッファまたはＭＵＸ（多重手段）の入力または出力のセル転送速度から輻輳前兆の有無を検出し、当該検出結果が輻輳前兆有りを示すときその旨を示す輻輳予測信号を、順方向経路の出力バッファまたはＭＵＸの出力の前記リソース管理セルに書き込み、
前記着ノードは、逆方向の出力バッファの使用率または出力バッファまたはＭＵＸの入力または出力のセル転送速度から輻輳前兆の有無を検出し、当該検出結果が輻輳前兆有りを示すときその旨を示す輻輳予測信号を、逆方向経路の出力バッファまたはＭＵＸの出力の前記リソース管理セルに書き込み、
前記発端末は、前記リソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始し、前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止することを特徴とするセル転送方法。
【請求項２】
前記発端末の所定時間ウィンドウは長さＭ（＝Ｔ／ΔＴ）のシフトレジスタである請求項１記載のセル転送方法。
【請求項３】
発側でセルを送受信する発端末を収容する発ノードと、着側でセルを送受信する着端末を収容する着ノードと、当該着ノードと前記発ノードとを接続する中継ノードとを備え、前記発端末は、当該発端末から送出し前記中継ノードを経由して前記着端末で折り返すリソース管理セルをΔＴの周期で送出する手段を備えたセル転送システムにおいて、
前記発端末から前記着端末に向かう方向を順方向、前記着端末から前記発端末に向かう方向を逆方向とそれぞれ定義し、
前記発ノードは、
順方向の出力バッファの使用率または出力バッファまたはＭＵＸ（多重手段）の入力または出力のセル転送速度から輻輳前兆の有無を検出する手段と、
当該検出する手段の検出結果が輻輳前兆有りを示すときその旨を示す輻輳予測信号を、順方向経路の出力バッファまたはＭＵＸの出力の前記リソース管理セルに書き込む手段と
を備え、
前記着ノードは、
逆方向の出力バッファの使用率または出力バッファまたはＭＵＸの入力または出力のセル転送速度から輻輳前兆の有無を検出する手段と、
当該検出する手段の検出結果が輻輳前兆有りを示すときその旨を示す輻輳予測信号を、逆方向経路の出力バッファまたはＭＵＸの出力の前記リソース管理セルに書き込む手段と
を備え、
前記発端末は、
前記リソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始する手段と、
前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止する手段と
を備えたことを特徴とするセル転送システム。
【請求項４】
前記発端末の所定時間ウィンドウは長さＭ（＝Ｔ／ΔＴ）のシフトレジスタである請求項３記載のセル転送システム。
【請求項５】
発側でセルを送受信する発端末を収容する発ノードと着側でセルを送受信する着端末を収容する着ノードとが中継ノードで接続され、前記発端末は、当該発端末から送出し前記中継ノードを経由して前記着端末で折り返すリソース管理セルをΔＴの周期で送出するセル転送システムに適応される発端末において、
当該発端末から前記着端末に向かう方向を順方向、前記着端末から当該発端末に向かう方向を逆方向とそれぞれ定義し、
前記発ノードは、順方向の出力バッファの使用率または出力バッファまたはＭＵＸ（多重手段）の入力または出力のセル転送速度から輻輳前兆の有無を検出し、当該検出結果が輻輳前兆有りを示すときその旨を示す輻輳予測信号を、順方向経路の出力バッファまたはＭＵＸの出力の前記リソース管理セルに書き込み、
前記着ノードは、逆方向の出力バッファの使用率または出力バッファまたはＭＵＸの入力または出力のセル転送速度から輻輳前兆の有無を検出し、当該検出結果が輻輳前兆有りを示すときその旨を示す輻輳予測信号を、逆方向経路の出力バッファまたはＭＵＸの出力の前記リソース管理セルに書き込み、
前記リソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始する手段と、
前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止する手段と
を備えたことを特徴とする発端末。
【請求項６】
所定時間ウィンドウは長さＭ（＝Ｔ／ΔＴ）のシフトレジスタである請求項５記載の発端末。
【請求項７】
情報処理装置にインストールすることにより、その情報処理装置に、
発側でセルを送受信する発端末を収容する発ノードと着側でセルを送受信する着端末を収容する着ノードとが中継ノードで接続され、前記発端末は、当該発端末から送出し前記中継ノードを経由して前記着端末で折り返すリソース管理セルをΔＴの周期で送出するセル転送システムに適応される発端末に相応する機能を実現させるプログラムにおいて、
当該発端末から前記着端末に向かう方向を順方向、前記着端末から当該発端末に向かう方向を逆方向とそれぞれ定義し、
前記発ノードは、順方向の出力バッファの使用率または出力バッファまたはＭＵＸ（多重手段）の入力または出力のセル転送速度から輻輳前兆の有無を検出し、当該検出結果が輻輳前兆有りを示すときその旨を示す輻輳予測信号を、順方向経路の出力バッファまたはＭＵＸの出力の前記リソース管理セルに書き込み、
前記着ノードは、逆方向の出力バッファの使用率または出力バッファまたはＭＵＸの入力または出力のセル転送速度から輻輳前兆の有無を検出し、当該検出結果が輻輳前兆有りを示すときその旨を示す輻輳予測信号を、逆方向経路の出力バッファまたはＭＵＸの出力の前記リソース管理セルに書き込み、
前記リソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始する機能と、
前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止する機能と
を実現させることを特徴とするプログラム。
【請求項８】
所定時間ウィンドウは長さＭ（＝Ｔ／ΔＴ）のシフトレジスタに相応する機能として実現される請求項７記載のプログラム。
【請求項９】
請求項７または８記載のプログラムが記録された前記情報処理装置読み取り可能な記録媒体。
【発明の詳細な説明】
【０００１】
【発明の属する技術分野】
本発明はＡＴＭ（Ａｓｙｎｃｈｒｏｎｏｕｓ  Ｔｒａｎｓｆｅｒ  Ｍｏｄｅ）網に用いる固定長パケット（セル）の転送方法に関する。本発明は、発着端末間で発ノード、中継ノード、着ノードを介してセルを双方向に転送する網輻輳回避技術を用いたセル転送方法に関する。
【０００２】
【従来の技術】
図７に従来例の構成図を示す。図７において、１−１、１−２は発端末、２はセル組立回路、３は送信バッファ、４はセル送出制御回路、５はＦＲＭセル送出回路、６はＢＲＭセル受信回路、７は受信バッファ、８はセル分解回路、９、１０は中継ノード、１１、１２はバッファ、１３は輻輳予測回路、１４は輻輳予測信号挿入回路、１５は経路選択回路、１６−１、１６−２は着端末、１７は受信バッファ、１８はセル分解回路、１９はＦＲＭセル折り返し回路、２０はセル組立回路、２１は送信バッファ、２２は伝送路である。発端末１−１、１−２はそれぞれ着端末１６−１、１６−２に接続され、双方向にコネクションが設定されているものとする。図７は発端末より着端末にデータセルを送る片方向通信の場合を示しており、逆方向通信は省略されている。
【０００３】
図８は、セルフォーマットの一例を示す図である。セルヘッダにはＶＰＩ，ＶＣＩ，ＣＬＰ，ＰＴＩ（Ｐａｙｌｏａｄ  Ｔｙｐｅ  Ｉｄｅｎｔｉｆｉｅｒ），ＨＥＣの各フィールドが設けられている。ＲＭセルは、セルヘッダのＰＴＩフィールドにおいて１１０のセルで定義されている。ちなみに、ＰＴＩフィールドが０００のセルはユーザ情報セルで、輻輳なしのＡＴＭレイヤユーザ間表示＝０のセルであり、００１のセルはユーザ情報セルで、輻輳なしのＡＴＭレイヤユーザ間表示＝１のセルであり、０１０のセルはユーザ情報セルで、輻輳有りのＡＴＭレイヤユーザ間表示＝０のセルであり、０１１のセルはユーザ情報セルで、輻輳有りのＡＴＭレイヤユーザ間表示＝１のセルである。なお、フォワードＲＭセル（ＦＲＭセル）とバックワードＲＭセル（ＢＲＭセル）の区別は、セルペイロードで行われる。また輻輳表示ビット（ＣＩビット）は、ＲＭセルのペイロードに書き込まれる。データセルはユーザ情報セルである。
【０００４】
セル組立回路２より送出されたデータセルは一時的に送信バッファ３に蓄積された後、セル送出制御回路４の制御に従って送信バッファ３より読み出される。送信バッファ３の出力セル速度はそのセル間隔がＬ／ＡＣＲ，（ＡＣＲ：現在のセル速度、Ｌ：セル長（４２４ｂｉｔ）になるように制御される。セル送出制御回路４は送信バッファ３よりＮｒｍ−１個のデータセルを読み出す毎に制御信号をＦＲＭセル送出回路５に送り、その回路５より１個のＦＲＭセルを送出させる。
【０００５】
セル送出制御回路４の制御に従って、送信バッファ３およびＦＲＭセル送出回路５から送出されるデータセルおよびＦＲＭセルのセル速度Ｙは次式に示される。
【０００６】
Ｙ＝ＩＣＲ＊ｅｘｐ（β＊Ｔ）−−−−−−−（１）
β＝ＰＣＲ＊ＲＩＦ／（Ｎｒｍ＊Ｌ）−−−−−（２）
Ｙ：送出セル速度（ｂｉｔ／ｓｅｃ）
ＲＩＦ：レート増加係数
Ｎｒｍ：ＲＭセルに挟まれて送られるデータセルの数＋１
ＰＣＲ：ピークセルレート（ｂｉｔ／ｓｅｃ）
ＩＣＲ：初速度（ｂｉｔ／ｓｅｃ）（＝最小セル速度（ＭＣＲ））
β：加速比係数（１／ｓｅｃ）
Ｌ：セル長（４２４ｂｉｔ）
Ｔ：入力を経過時間とし、出力をセル速度とする仮想ルックアップテーブル上の経過時間（ｓｅｃ）
セル速度増加中のセル速度を式（１）、（２）のように表わすことができるので、端末１−１、１−２からの送出セルはセル加速比（単位時間当たりのセル速度増加比率）制限に従っており、このため中継ノード９は輻輳予測が可能となる。現在のセル速度ＡＣＲ（ｂｉｔ／ｓｅｃ）は、ＢＲＭセル受信回路６が輻輳予測信号を含まない（ＣＩ＝０）ＢＲＭセルを受信した場合は、次式で示されるようにセル速度を増加させる。
【０００７】
ＡＣＲ＝ＡＣＲ＋ＲＩＦ＊ＰＣＲ
ＡＣＲ＝Ｍｉｎ（ＡＣＲ，ＰＣＲ）−−−−−−−−−−−−−−（３）
ＡＣＲ：現在のセル速度（ｂｉｔ／ｓｅｃ）
ＲＩＦ：レート増加係数
ＰＣＲ：ピークセルレート（ｂｉｔ／ｓｅｃ）
Ｍｉｎ（Ａ，Ｂ）：ＡとＢの内小さい方をとる
また、現在のセル速度ＡＣＲは、ＢＲＭセル受信回路６が輻輳予測信号を含む（ＣＩ＝１）ＢＲＭセルを受信した場合は、次式で示されるようにセル速度を減少させる。
【０００８】
ＡＣＲ＝ＡＣＲ−ＲＤＦ＊ＡＣＲ
ＡＣＲ＝Ｍａｘ（ＡＣＲ，ＭＣＲ）−−−−−−−−−−−−−（４）
ＲＤＦ：レート減少係数
ＭＣＲ；最小セル速度（ｂｉｔ／ｓｅｃ）
Ｍａｘ（Ａ，Ｂ）：ＡとＢの内大きい方をとる
式（３）、式（４）により現在のセルレートＡＣＲの増加または減速を行うとき、式（１）の仮想ルックアップテーブル上の経過時間Ｔが増加または減少する。
【０００９】
セル送出制御回路４は発端末１−１、１−２からのデータセル送出開始時には、現在のセル速度ＡＣＲをＩＣＲ（初速度）に設定する。またＩＣＲはＭＣＲ（最小セル速度）にする。以上述べた送信端末装置の動作フローを図９に示す。
【００１０】
送信バッファ３より読み出されたデータセルとＦＲＭセル送出回路５より送出されたＦＲＭセルは伝送路２２により中継ノード９のバッファ１１に送られる。バッファ１１に一時的に蓄積されたデータセルとＦＲＭセルは伝送路速度で読み出される。
【００１１】
中継ノード９では、バッファ１１から読み出されたセル速度より、輻輳予測回路１３により伝送路の輻輳予測を次式により行う。
【００１２】
Ｖ＝Ｖｃ＊ｅｘｐ（ＰＣＲ＊ＲＩＦ＊Ｄ１／（Ｎｒｍ＊Ｌ））−−−−−−（５）
Ｖ：輻輳予測速度（ｂｉｔ／ｓｅｃ）
Ｖｃ：現在の伝送路のセル速度（ｂｉｔ／ｓｅｃ）
Ｌ：セル長（４２４ｂｉｔ）
ＰＣＲ：ピークセルレート
ＲＩＦ：レート増加係数
Ｎｒｍ：ＲＭセルに挟まれて送られるデータセルの数＋１
Ｄ１：発端末１と中継ノード９との往復遅延時間（ｓｅｃ）
（５）式において輻輳予測速度Ｖが伝送路の許容セル速度（Ｖｍａｘ）を超す場合、すなわち
Ｖｃ＞Ｖｍａｘ＊ｅｘｐ（−ＰＣＲ＊ＲＩＦ＊Ｄ１／（Ｎｒｍ＊Ｌ））
の場合には、輻輳予測回路１３は輻輳予測有りと判断する。輻輳予測回路１３は輻輳予測有りと判断した場合には、輻輳予測信号挿入回路１４において逆方向に流れるＢＲＭセルのペイロードのＣＩビットを１に設定する。
【００１３】
輻輳予測信号が挿入されたＢＲＭセルは経路選択回路１５により対地別に振り分けられて、発端末１−１、１−２のＢＲＭセル受信回路６に送られる。
【００１４】
中継ノード９のバッファ１１より読み出されたデータセルおよびＦＲＭセルは中継ノード１０のバッファ１１、経路選択回路１５を介して、着端末１６−１、１６−２に送られる。着端末１６では、ＦＲＭセルのみをＢＲＭセルに変換後、ＦＲＭセル折り返し回路１９により折り返す。折り返されたＢＲＭセルは中継ノード１０を介して、中継ノード９に送られる。一方、着端末１６−１、１６−２に到着したデータセルはバッファ１７を介してセル分解回路１８に送られる。また、セル組立回路２０より発生したセルはバッファ２１に蓄積された後、セル送出制御回路（図には記してない）により読み出されて、中継ノード１０、９を経由して発端末１−１、１−２の受信バッファ７に蓄積された後セル分解回路８に送られる（例えば、非特許文献１、２参照）。
【００１５】
【非特許文献１】
Ｎ．Ｔｏｋｕｒａ，Ｈ．Ｔａｔｓｕｎｏ，ａｎｄ  Ｙ．Ｋａｊｉｙａｍａ，”Ｃｏｎｇｅｓｔｉｏｎ  ａｖｏｉｄａｎｃｅ  ｎｅｔｗｏｒｋｓ  ｂａｓｅｄｏｎ  ｃｏｎｇｅｓｔｉｏｎ  ｅｓｔｉｍａｔｉｏｎ  ｆｅｅｄｂａｃｋ  ｂｙ  ｌｉｍｉｔｅｄ  ａｃｃｅｌｅｒａｔｉｏｎ−ｒａｔｅ／−ｒａｔｉｏ：ＣＥＦＬＡＲ，”ＩＥＩＣＥ  ＴＲＡＮＳ．ＣＯＭＭＵＮ．，ｖｏｌ．Ｅ７９−Ｂ，ｎｏ．４，ｐｐ．５５０−５５９，１９９６
【非特許文献２】
Ｈ．Ｔａｔｓｕｎｏ，Ｙ．Ｋａｊｉｙａｍａ，ａｎｄ  Ｎ．Ｔｏｋｕｒａ，”Ｐｅｒｆｏｒｍａｎｃｅ  ｏｆ  ＡＢＲ  ｗｉｔｈ  ＣＥＦＬＡＲ  ｃｏｎｃｅｐｔ  ｉｎ  ＡＴＭ  ｎｅｔｗｏｒｋｓ，”Ｐｒｏｃｅｅｄｉｎｇｓ  ｏｆ  ＩＴＣ−ＣＳＣＣ’９９，Ｓａｄｏ，Ｎｉｉｇａｔａ，Ｊａｐａｎ，ｐｐ．１２４６−１２４９，１９９９
【００１６】
【発明が解決しようとする課題】
従来例は、発端末１−１、１−２がセル加速比制限に従ってセルを送出し、中継ノードが輻輳予測を行うため、中継ノードでのセル廃棄が無く、遅延が少なく、中継ノードのバッファ１１は少ないメモリ量でよいという利点がある。しかし、発端末からのセルが輻輳予測する複数の中継ノードを経由する場合には、複数の中継ノードから輻輳予測信号が送信端末装置に届くため、発端末のセル速度は必要以上に低下するという欠点がある。これはビートダウンと呼ばれる現象である。
【００１７】
また、網の輻輳予測制御によって、中継伝送路のスループットは振動するため、平均スループットが下がる欠点がある。また、従来例は網を複数の端末が公平使用するセル転送方法であるため、リアルタイム形伝送を行った場合には、網輻輳により必要とする帯域を確保できないという欠点がある。
【００１８】
本発明は、このような背景に行われたものであって、複数中継ノードが輻輳予測しても、発端末のセル速度はビートダウンせず、ピークレートでセル転送可能であり、また、中継伝送路のスループットが高く、また、リアルタイム形伝送を可能とするセル転送方法およびセル転送システムおよび発端末を提供することを目的とする。
【００１９】
【課題を解決するための手段】
本発明は、発端末が、会話信号を挿入したセルの送出に先立って、ΔＴ（ΔＴ：所定時間）の周期でリソース管理セルを送出する。発端末が接続された発ノードまたは中継ノードは、順方向経路の出力バッファ出力またはＭＵＸ出力の合計セル速度から輻輳の前兆の有無を判断し、輻輳が予測される場合には、順方向のリソース管理セルに輻輳予測信号を挿入する。なお、前記発端末から前記着端末に向かう方向を順方向、前記着端末から前記発端末に向かう方向を逆方向とそれぞれ定義する。
【００２０】
着端末が接続された着ノードまたは中継ノードは、逆方向経路の出力バッファ出力またはＭＵＸ出力の合計セル速度から輻輳の前兆の有無を判断し、輻輳が予測される場合には、逆方向経路のリソース管理セルに輻輳予測信号を挿入する。
【００２１】
発端末は、着端末で折り返されたリソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始し、前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止する。
【００２２】
所定時間ウィンドウＴ内の輻輳予測信号を含むリソース管理セルの数が所定値Ｌ以下である場合は、順方向経路および逆方向経路の帯域が確保できたことを示すものであり、一旦帯域確保できれば、以後輻輳予測信号を含むリソース管理セルを受信しても、それは他のトラヒックが原因であるので、ＰＣＲで会話信号を挿入したセルの送出が可能となる。このため、双方向リアルタイム形伝送が可能になる。
【００２３】
以上述べたように本発明は、発ノードの順方向出力伝送路および中継ノードの順方向出力伝送路および着ノードの逆方向出力伝送路および中継ノードの逆方向出力伝送路の帯域予約無しに一定帯域を必要とする双方向リアルタイム形伝送を可能とするものである。また、ビートダウンの発生しないセル転送方法を提供するものである。
【００２４】
すなわち、本発明の第一の観点は、発側でセルを送受信する発端末を収容する発ノードと着側でセルを送受信する着端末を収容する着ノードとが中継ノードで接続され、前記発端末は、当該発端末から送出し前記中継ノードを経由して前記着端末で折り返すリソース管理セルをΔＴの周期で送出するセル転送システムに適応されるセル転送方法である。
【００２５】
ここで、本発明の特徴とするところは、前記発端末から前記着端末に向かう方向を順方向、前記着端末から前記発端末に向かう方向を逆方向とそれぞれ定義し、前記発ノードは、順方向の出力バッファの使用率または出力バッファまたはＭＵＸ（多重手段）の入力または出力のセル転送速度から輻輳前兆の有無を検出し、当該検出結果が輻輳前兆有りを示すときその旨を示す輻輳予測信号を、順方向経路の出力バッファまたはＭＵＸの出力の前記リソース管理セルに書き込み、前記着ノードは、逆方向の出力バッファの使用率または出力バッファまたはＭＵＸの入力または出力のセル転送速度から輻輳前兆の有無を検出し、当該検出結果が輻輳前兆有りを示すときその旨を示す輻輳予測信号を、逆方向経路の出力バッファまたはＭＵＸの出力の前記リソース管理セルに書き込み、前記発端末は、前記リソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始し、前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止するところにある。
【００２６】
前記発端末の所定時間ウィンドウは長さＭ（＝Ｔ／ΔＴ）のシフトレジスタであることが望ましい。
【００２７】
本発明の第二の観点は、発側でセルを送受信する発端末を収容する発ノードと、着側でセルを送受信する着端末を収容する着ノードと、当該着ノードと前記発ノードとを接続する中継ノードとを備え、前記発端末は、当該発端末から送出し前記中継ノードを経由して前記着端末で折り返すリソース管理セルをΔＴの周期で送出する手段を備えたセル転送システムである。
【００２８】
ここで、本発明の特徴とするところは、前記発端末から前記着端末に向かう方向を順方向、前記着端末から前記発端末に向かう方向を逆方向とそれぞれ定義し、前記発ノードは、順方向の出力バッファの使用率または出力バッファまたはＭＵＸの入力または出力のセル転送速度から輻輳前兆の有無を検出する手段と、当該検出する手段の検出結果が輻輳前兆有りを示すときその旨を示す輻輳予測信号を、順方向経路の出力バッファまたはＭＵＸの出力の前記リソース管理セルに書き込む手段とを備え、前記着ノードは、逆方向の出力バッファの使用率または出力バッファまたはＭＵＸの入力または出力のセル転送速度から輻輳前兆の有無を検出する手段と、当該検出する手段の検出結果が輻輳前兆有りを示すときその旨を示す輻輳予測信号を、逆方向経路の出力バッファまたはＭＵＸの出力の前記リソース管理セルに書き込む手段とを備え、前記発端末は、前記リソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始する手段と、前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止する手段とを備えたところにある。
【００２９】
前記発端末の所定時間ウィンドウは長さＭ（＝Ｔ／ΔＴ）のシフトレジスタであることが望ましい。
【００３０】
本発明の第三の観点は、発側でセルを送受信する発端末を収容する発ノードと着側でセルを送受信する着端末を収容する着ノードとが中継ノードで接続され、前記発端末は、当該発端末から送出し前記中継ノードを経由して前記着端末で折り返すリソース管理セルをΔＴの周期で送出するセル転送システムに適応される発端末である。
【００３１】
ここで、本発明の特徴とするところは、当該発端末から前記着端末に向かう方向を順方向、前記着端末から当該発端末に向かう方向を逆方向とそれぞれ定義し、前記発ノードは、順方向の出力バッファの使用率または出力バッファまたはＭＵＸの入力または出力のセル転送速度から輻輳前兆の有無を検出し、当該検出結果が輻輳前兆有りを示すときその旨を示す輻輳予測信号を、順方向経路の出力バッファまたはＭＵＸの出力の前記リソース管理セルに書き込み、前記着ノードは、逆方向の出力バッファの使用率または出力バッファまたはＭＵＸの入力または出力のセル転送速度から輻輳前兆の有無を検出し、当該検出結果が輻輳前兆有りを示すときその旨を示す輻輳予測信号を、逆方向経路の出力バッファまたはＭＵＸの出力の前記リソース管理セルに書き込み、前記リソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始する手段と、前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止する手段とを備えたところにある。
【００３２】
所定時間ウィンドウは長さＭ（＝Ｔ／ΔＴ）のシフトレジスタであることが望ましい。
【００３３】
本発明の第四の観点は、情報処理装置にインストールすることにより、その情報処理装置に、発側でセルを送受信する発端末を収容する発ノードと着側でセルを送受信する着端末を収容する着ノードとが中継ノードで接続され、前記発端末は、当該発端末から送出し前記中継ノードを経由して前記着端末で折り返すリソース管理セルをΔＴの周期で送出するセル転送システムに適応される発端末に相応する機能を実現させるプログラムである。
【００３４】
ここで、本発明の特徴とするところは、当該発端末から前記着端末に向かう方向を順方向、前記着端末から当該発端末に向かう方向を逆方向とそれぞれ定義し、前記発ノードは、順方向の出力バッファの使用率または出力バッファまたはＭＵＸの入力または出力のセル転送速度から輻輳前兆の有無を検出し、当該検出結果が輻輳前兆有りを示すときその旨を示す輻輳予測信号を、順方向経路の出力バッファまたはＭＵＸの出力の前記リソース管理セルに書き込み、前記着ノードは、逆方向の出力バッファの使用率または出力バッファまたはＭＵＸの入力または出力のセル転送速度から輻輳前兆の有無を検出し、当該検出結果が輻輳前兆有りを示すときその旨を示す輻輳予測信号を、逆方向経路の出力バッファまたはＭＵＸの出力の前記リソース管理セルに書き込み、前記リソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始する機能と、前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止する機能とを実現させるところにある。
【００３５】
所定時間ウィンドウは長さＭ（＝Ｔ／ΔＴ）のシフトレジスタに相応する機能として実現されることが望ましい。
【００３６】
本発明の第五の観点は、本発明のプログラムが記録された前記情報処理装置読取可能な記録媒体である。本発明のプログラムは本発明の記録媒体に記録されることにより、前記情報処理装置は、この記録媒体を用いて本発明のプログラムをインストールすることができる。あるいは、本発明のプログラムを保持するサーバからネットワークを介して直接前記情報処理装置に本発明のプログラムをインストールすることもできる。
【００３７】
これにより、コンピュータ装置等の情報処理装置を用いて、複数中継ノードが輻輳予測しても、発端末のセル速度はビートダウンせず、ピークレートでセル転送可能であり、また、中継伝送路のスループットが高く、また、リアルタイム形伝送を可能とするセル転送方法およびセル転送システムおよび発端末を実現することができる。
【００３８】
【発明の実施の形態】
本発明実施例のセル転送システムを図１ないし図３を用いて説明する。図１は本実施例のセル転送システムの全体構成図である。図２は本実施例の発端末のブロック構成図である。図３は本実施例の着端末のブロック構成図である。図１において、３０は発ノード、３１は中継ノード、３２は着ノード、３３は発端末、３４は発側のインタフェース回路、３５はルーチング回路、３６は出力バッファ、３７は輻輳予測回路、３８は輻輳予測信号挿入回路、３９は着側のインタフェース回路、４０は着端末、４１は中継伝送路、４２は加入者線（アクセス回線）である。ルーチング回路３５および出力バッファ３６はＡＴＭスイッチ（通信装置）を構成する。発端末３３の構成を図２に示す。
【００３９】
図２において、４５はＲＭセル受信回路、４６はセル送出制御回路、４７はＲＭセル送出回路、４８は送信バッファ、４９は受信バッファ、５０はセル分解回路、５１は符号化回路、５２は復号化回路である。次ぎに着端末４０の構成を図３に示す。図３において、５３はＲＭセル折り返し回路、５４は符号化信号挿入回路であり、他の回路は図５と同じである。
【００４０】
発端末と着端末は、発ノード、中継ノード、着ノードのＡＴＭスイッチ（通信装置）を介して双方向にＶＣ接続されているものとする。
【００４１】
発端末３３のセル送出制御回路４６は、会話信号（符号化信号）を送出する前に、ΔＴ（所定時間（例えば５ｍｓｅｃ））の周期でＲＭ（リソース管理）セルを送出するように、ＲＭセル送出回路４７に信号を送出する。発端末から送出されたＲＭセルは、着端末４０のＲＭセル折り返し回路５３で折り返されて、ＲＭセル受信回路４５に到着する。所定時間ウィンドウＴ（所定時間、例えば０．１ｓｅｃ）内にＲＭセル受信回路４５で受信した輻輳予測信号を含むＲＭセルの数が所定値Ｌ個（例えば０個）以下である場合には、セル送出制御回路４６は、会話信号送出指示信号を着端末に送る。着端末より会話信号が挿入されたＲＭセルを受信した場合は、発端末のセル送出制御回路４６は、音声信号を符号化するように符号化回路５１に信号をおくる。また、符号化回路５１、送信バッファ４８に信号を送り、符号化信号をＲＭセル送出回路４７に送るように制御する。
【００４２】
ＲＭセル送出回路４７に送られた符号化信号は、ＲＭセルのペイロードに挿入されて、ΔＴの周期で送出される。なお、受信したＲＭセルは受信バッファ４９に蓄積された後、セル分解回路５０で符号化信号に分解された後、復号化回路５２で音声信号に復号化される。
【００４３】
一方、ＲＭセル送出開始から一定時間Ｔ０（例えば１ｓｅｃ）経過しても、所定時間ウィンドウＴ内にＲＭセル受信回路４５で受信した輻輳予測信号を含むＲＭセルの数が所定値Ｌ個以下になる場合が生じない場合には、セル送出制御回路４６は、ＲＭセルの送出を停止する。
【００４４】
なお、所定時間ウィンドウは長さＭ（＝Ｔ／ΔＴ）のシフトレジスタで実現することが望ましい。
【００４５】
以上述べた発端末３３の動作フローを図４に示す。また着端末４０の動作フローを図５に示す。セル送出制御回路４６を含む発端末の動作を図４のフローを用いて説明する。まず、Ｔｉｍｅｒ１（経過時間とともにタイマ値が増加するタイマ）のタイマ値を０に設定する（２００）。次ぎに長さＭ（＝Ｔ／ΔＴ）のシフトレジスタに全て１を設定する（２０１）。次に、ΔＴの周期でＲＭセルを送出する（２０２）。途中でＣＩ＝０（輻輳予測無し）のＲＭセルを受信したら（２０３）、長さＭのシフトレジスタに０を入力する（２０４）。次にそのシフトレジスタ内の数字の合計はＬ以下か判断し（２０５）、Ｌ以下である場合には、会話信号送出開始指示信号を着端末に送出する（２１２）。一方、Ｌ以下でない場合は、２０２に遷移する。
【００４６】
またＣＩ＝１（輻輳予測有り）のＲＭセルを受信したら（２０６）、長さＭのシフトレジスタに１を入力する（２０７）。次に、Ｔｉｍｅｒ１のタイマ値が所定値Ｔ０より大きいか判断し（２０８）、大きい場合には、ＲＭセルの送出を停止する（２０９）。一方、大きくない場合には、２０２に遷移する。次に、Ｔｉｍｅｒ１のタイマ値が所定値Ｔ０より大きいか判断し（２１０）、大きい場合には、ＲＭセルの送出を停止し（２１１）、大きくない場合には、２０２に遷移する。
【００４７】
次に、着端末４０の動作を図５のフローを用いて説明する。まず、会話信号送出開始指示信号を受信したか判断し（２２０）、受信した場合には、会話信号を挿入したＲＭセルを折り返し開始する（２２１）。一方、受信しない場合には、ＲＭセルを受信したか判断し（２２２）、受信した場合には、そのＲＭセルを折り返し（２２３）、受信しない場合には、２２０に遷移する。
【００４８】
発端末３３より送出されたＲＭセルは加入者線（アクセス回線）４２を介して、発ノード３０の発側インタフェース回路３４に送られる。発側インタフェース回路３４に到着したセルはＡＴＭスイッチの順方向のルーチング回路３５に送られる。
【００４９】
発ノード３０では、順方向の出力バッファ出力のセル速度より、輻輳予測回路３７により出力伝送路の輻輳予測を次式により行う。
【００５０】
ＶΣ＞  Ｖｍａｘ−−−−−−−−−−−（６）
ＶΣ：順方向の出力バッファの使用率＊読み出し速度または出力バッファ出力のセル転送速度
Ｖｍａｘ：出力伝送路の許容セルレート
式（６）を満たす時輻輳予測回路３７は輻輳予測有り（輻輳の前兆有り）と判断する。輻輳予測回路３７は輻輳予測有りと判断した場合には、輻輳予測信号挿入回路３８において順方向に流れるＲＭセルのペイロードのＣＩビットを１に設定する。
【００５１】
図６に発ノード３０の輻輳回避動作を示す。まず、通信装置（ＡＴＭスイッチ）の順方向の出力バッファ出力の現在の合計セル速度ＶΣを輻輳予測回路３７において測定する（３００）。この測定は観測時間をウィンドウ幅とするスライディングウィンドウにより行うことができる。次ぎにＶΣ＞Ｖｍａｘにより輻輳の前兆の有無を判断する（３０１）。輻輳の前兆有りと判断すると（３０２）、輻輳予測信号挿入回路３８において一定時間通信装置の順方向出力バッファ出力を流れるＲＭセルのＣＩビットを１に設定する（３０３）。もし輻輳の前兆無しと判断すれば（３０４）なにもしない。
【００５２】
発ノード３０の順方向の出力バッファ３６より送出されたセルは中継伝送路４１を介して中継ノード３１の順方向のルーチング回路３５に到達する。ルーチング回路３５に到着したセルは順方向の出力バッファ３６に振り分けられる。輻輳予測回路３７は順方向の出力バッファ出力のセル速度より輻輳予測を行う。中継ノード３１の順方向の輻輳予測回路３７および輻輳予測信号挿入回路３８の動作は発ノード３０の動作（図６）と同じなので説明を省略する。
【００５３】
中継ノード３１の順方向の出力バッファ３６より送出されたセルは着ノード３２の順方向のルーチング回路３５に到達する。順方向のルーチング回路３５に到着したセルは出力バッファ３６を介して着側のインタフェース回路３９に振り分けられる。着側のインタフェース回路３９に到着したセルは着端末４０に送られる。着端末４０の動作は、図５に示したとおりである。なお、着端末に会話信号送出指示信号が到着した場合は、セル送出制御回路４６は、符号化回路５１、送信バッファ４８に信号を送り、符号化信号を符号化信号挿入回路５４に送るように制御する。符号化信号挿入回路に送られた符号化信号は、ＲＭセル折り返し回路で折り返されたＲＭセルのペイロードに挿入されて、発端末側に送出される。
【００５４】
着端末４０のＲＭセル折り返し回路５３で折り返されたＲＭセルは、加入者線（アクセス回線）４２、着側のインタフェース回路３９を介して、着ノード３２の逆方向のルーティング回路３５に到着する。逆方向のルーティング回路３５に到着したＲＭセルは逆方向の出力バッファ３６に振り分けられる。着ノード３２の輻輳予測回路３７では、逆方向の出力バッファ出力のセル速度から出力伝送路の輻輳予測を行う。この輻輳予測動作は発ノード３０の動作（図６）と同じなので説明を省略する。但し、順方向を逆方向に変える必要がある。
【００５５】
着ノード３２の逆方向の出力バッファ３６より送出されたセルは中継ノード３１の逆方向のルーティング回路３５に到着する。逆方向のルーティング回路３５に到着したセルは逆方向の出力バッファ３６に振り分けられる。中継ノード３１の輻輳予測回路３７では、逆方向の出力バッファ出力のセル速度から出力伝送路の輻輳予測を行う。中継ノード３１の逆方向の輻輳予測動作は、発側のノード３０の場合（図６）と同じなので説明を省略する。但し、順方向を逆方向に変える必要がある。
【００５６】
中継ノード３１の逆方向の出力バッファ３６より送出されたセルは発ノード３０の逆方向のルーティング回路３５に到着する。逆方向のルーティング回路３５に到着したセルは逆方向の出力バッファ３６に振り分けられる。逆方向の出力バッファ３６より送出されたセルは、発側のインタフェース回路３４に到着する。発側のインタフェース回路３４に到着したセルは加入者線（アクセス回線）４２を介して発端末３３に送られる。
（実施例まとめ）
本実施例は、発端末３３は、会話信号を挿入したセルの送出に先立って、ＲＭセル送出回路４７によりΔＴ（ΔＴ：所定時間）の周期でリソース管理セルを送出する。発端末３３が接続された発ノード３０または中継ノード３１は、順方向経路の出力バッファ３６の出力またはＭＵＸ（図１の例では備えない）の出力の合計セル速度から輻輳の前兆の有無を判断し、輻輳が予測される場合には、順方向のリソース管理セルに輻輳予測信号を挿入する。着端末４０が接続された着ノード３２または中継ノード３１は、逆方向経路の出力バッファ３６の出力またはＭＵＸ（図１の例では備えない）の出力の合計セル速度から輻輳の前兆の有無を判断し、輻輳が予測される場合には、逆方向経路のリソース管理セルに輻輳予測信号を挿入する。
【００５７】
発端末３３のセル送出制御回路４６は、着端末４０で折り返されたリソース管理セルをＲＭセル受信回路４５により受信し、所定時間ウィンドウ（長さＴ）内に受信した輻輳予測信号を含むリソース管理セル数が所定値Ｌ個以下である場合は、ＰＣＲで会話信号を挿入したセルの送出を開始し、前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止する。
【００５８】
所定時間ウィンドウＴ内の輻輳予測信号を含むリソース管理セルの数が所定値Ｌ以下である場合は、順方向経路および逆方向経路の帯域が確保できたことを示すものであり、一旦帯域確保できれば、以後輻輳予測信号を含むリソース管理セルを受信しても、それは他のトラヒックが原因であるので、ＰＣＲで会話信号を挿入したセルの送出が可能となる。このため、双方向リアルタイム形伝送が可能になる。
【００５９】
以上述べたように本発明は、発ノードの順方向出力伝送路および中継ノードの順方向出力伝送路および着ノードの逆方向出力伝送路および中継ノードの逆方向出力伝送路の帯域予約無しに一定帯域を必要とする双方向リアルタイム形伝送を可能とするものである。また、ビートダウンの発生しないセル転送方法を提供するものである。
【００６０】
なお、本実施例のセル転送システムでは、出力バッファ３６の出力のセル転送速度から輻輳前兆の有無を検出するとして説明したが、出力バッファ３６の使用率によっても輻輳前兆の有無を検出することができる。すなわち、出力バッファ３６の使用率が所定値以上である状態が続けば輻輳前兆と検出することができる。また、出力バッファ３６の入力のセル転送速度から輻輳前兆の有無を検出してもよい。また、図１の例では、出力バッファ３６の出力を多重するＭＵＸを備えない構成であるが、ＭＵＸを備える構成としても同様に説明することができる。
【００６１】
すなわち、発ノード３０は、順方向の出力バッファ３６の使用率または出力バッファ３６またはＭＵＸの入力または出力のセル転送速度から輻輳前兆の有無を検出し、当該検出結果が輻輳前兆有りを示すときその旨を示す輻輳予測信号を、順方向経路の出力バッファ３６またはＭＵＸの出力のリソース管理セルに書き込むこともできる。また、着ノード３２は、逆方向の出力バッファ３６の使用率または出力バッファ３６またはＭＵＸの入力または出力のセル転送速度から輻輳前兆の有無を検出し、当該検出結果が輻輳前兆有りを示すときその旨を示す輻輳予測信号を、逆方向経路の出力バッファ３６またはＭＵＸの出力のリソース管理セルに書き込むこともできる。
【００６２】
本実施例の発端末３３は、情報処理装置としてのコンピュータ装置を用いて実現することができる。すなわち、コンピュータ装置にインストールすることにより、そのコンピュータ装置に、発側でセルを送受信する発端末３３を収容する発ノード３０と着側でセルを送受信する着端末４０を収容する着ノード３２とが中継ノード３１で接続され、発端末３３は、当該発端末３３から送出し中継ノード３１を経由して着端末４０で折り返すリソース管理セルをΔＴの周期で送出するセル転送システムに適応される発端末３３に相応する機能を実現させるプログラムであって、当該発端末３３から着端末４０に向かう方向を順方向、着端末４０から当該発端末３３に向かう方向を逆方向とそれぞれ定義し、発ノード３０は、順方向の出力バッファ３６の使用率または出力バッファ３６またはＭＵＸ（図１の例では備えない）の入力または出力のセル転送速度から輻輳前兆の有無を検出し、当該検出結果が輻輳前兆有りを示すときその旨を示す輻輳予測信号を、順方向経路の出力バッファ３６またはＭＵＸの出力の前記リソース管理セルに書き込み、着ノード３２は、逆方向の出力バッファ３６の使用率または出力バッファ３６またはＭＵＸ（図１の例では備えない）の入力または出力のセル転送速度から輻輳前兆の有無を検出し、当該検出結果が輻輳前兆有りを示すときその旨を示す輻輳予測信号を、逆方向経路の出力バッファ３６またはＭＵＸの出力の前記リソース管理セルに書き込み、前記リソース管理セルを受信し、所定時間ウィンドウ（長さＴ）内に受信した輻輳予測信号を含むリソース管理セル数が所定値Ｌ個以下である場合は、ＰＣＲで会話信号を挿入したセルの送出を開始する機能と、前記リソース管理セルの送出開始から所定時間Ｔ０経過しても、所定時間ウィンドウＴ内に受信した輻輳予測信号を含むリソース管理セル数が所定値Ｌ個以下にならない場合は、リソース管理セルの送出を停止する機能とを実現させるプログラムをコンピュータ装置にインストールすることにより、このコンピュータ装置に本実施例の発端末３３に相応する機能を実現させることができる。所定時間ウィンドウは長さＭ（＝Ｔ／ΔＴ）のシフトレジスタに相応する機能として実現される。
【００６３】
本実施例のプログラムは本実施例の記録媒体に記録されることにより、コンピュータ装置は、この記録媒体を用いて本実施例のプログラムをインストールすることができる。あるいは、本実施例のプログラムを保持するサーバからネットワークを介して直接コンピュータ装置に本実施例のプログラムをインストールすることもできる。
【００６４】
これにより、コンピュータ装置を用いて、複数中継ノードが輻輳予測しても、発端末のセル速度はビートダウンせず、ピークレートでセル転送可能であり、また、中継伝送路のスループットが高く、また、リアルタイム形伝送を可能とするセル転送方法およびセル転送システムおよび発端末を実現することができる。
【００６５】
【発明の効果】
以上説明したように、本発明によれば、複数中継ノードが輻輳予測しても、発端末のセル速度はビートダウンせず、ピークレートでセル転送可能であり、また、中継伝送路のスループットが高く、また、リアルタイム形伝送を可能とする。
【図面の簡単な説明】
【図１】本実施例のセル転送システムの全体構成図。
【図２】本実施例の発端末のブロック構成図。
【図３】本実施例の着端末のブロック構成図。
【図４】本実施例の発端末の動作を示すフローチャート。
【図５】本実施例の着端末の動作を示すフローチャート。
【図６】本実施例の発ノードの輻輳回避動作を示すフローチャート。
【図７】従来のセル転送システムの全体構成図。
【図８】セルフォーマットの一例を示す図。
【図９】従来の送信端末装置の動作を示すフローチャート。
【符号の説明】
１−１、１−２、３３  発端末
２、２０  セル組立回路
３、２１、４８  送信バッファ
４、４６  セル送出制御回路
５  ＦＲＭセル送出回路
６  ＢＲＭセル受信回路
７、１７、４９  受信バッファ
８、１８、５０  セル分解回路
９、１０、３１  中継ノード
１１、１２  バッファ
１３、３７  輻輳予測回路
１４、３８  輻輳予測信号挿入回路
１５  経路選択回路
１６−１、１６−２、４０  着端末
１９  ＦＲＭセル折り返し回路
２２  伝送路
３０  発ノード
３２  着ノード
３４  発側のインタフェース回路
３５  ルーチング回路
３６  出力バッファ
３９  着側のインタフェース回路
４１  中継伝送路
４２  加入者線（アクセス回線）
４５  ＲＭセル受信回路
４７  ＲＭセル送出回路
５１  符号化回路
５２  復号化回路
５３  ＲＭセル折り返し回路
５４  符号化信号挿入回路
【図１】
2004187141.tif 000003
【図２】
2004187141.tif 000004
【図３】
2004187141.tif 000005
【図４】
2004187141.tif 000006
【図５】
2004187141.tif 000007
【図６】
2004187141.tif 000008
【図７】
2004187141.tif 000009
【図８】
2004187141.tif 000010
【図９】
2004187141.tif 000011